(57)【要約】【課題】アダプタパネルに設けられた複数のアダプタのうち、特に下方に設けられたアダプタへの光ファイバの接続作業性を向上したスプライスユニットを提供する。【解決手段】スプライスユニット１は、光ファイバ３を接続するためのアダプタ４が上下左右に複数設けられたアダプタパネル５をケース２の前面に蝶着して前傾可能に設け、また、アダプタ４に前方から接続された光ファイバ３を支持するためにアダプタパネル５の下端に前方に突設された支持板６をアダプタパネル５に蝶着して前傾可能に設ける。【選択図】図５
2009258244.tif 000002
【特許請求の範囲】
【請求項１】
光ファイバを接続するためのアダプタが複数設けられたアダプタパネルをケースの前面に備えて成るスプライスユニットにおいて、前記アダプタパネルの下部を前記ケースに蝶着して前傾可能にしたことを特徴とするスプライスユニット。
【請求項２】
前記アダプタパネルの下部から前方に突設されて前記アダプタに接続された光ファイバを支持する支持板を前記アダプタパネルの下部に蝶着して前傾可能にしたことを特徴とする請求項１に記載のスプライスユニット。
【発明の詳細な説明】
【技術分野】
【０００１】
本発明は、ラック内に設けられて光ファイバを接続するスプライスユニットに関する。
【背景技術】
【０００２】
スプライスユニットは、ラックの内部に取り付けられ、ケースの前面に光ファイバを接続するためのアダプタを複数取着したアダプタパネルが固定されている。アダプタパネルに設けられたアダプタは上下左右に整列して配置され、アダプタは光ファイバの先端に設けられたコネクタを前後両側から差し込むことで光ファイバ同士を接続するようになっている。アダプタパネルの下端には支持板が前方に突設され、アダプタに接続された光ファイバが破損しないように支持するようになっている（例えば、特許文献１参照。）。
【０００３】
【特許文献１】特開２００６−３５０１３３号公報（図１〜図３）
【発明の開示】
【発明が解決しようとする課題】
【０００４】
このように、スプライスユニットはアダプタパネルにアダプタが上下左右に整列して設けられるが、特に下方に設けられたアダプタは、ケースの底面又は支持板が邪魔になり、アダプタの接続口前方の作業スペースが少ないため、光ファイバのコネクタの着脱が非常にしづらく、施工性が悪いという欠点があった。
【課題を解決するための手段】
【０００５】
本発明は、請求項１に記載の発明によれば、光ファイバを接続するためのアダプタが複数設けられたアダプタパネルをケースの前面に備えて成るスプライスユニットにおいて、アダプタパネルの下部を前記ケースに蝶着して前傾可能にしたことを特徴とする。
【０００６】
請求項２に記載の発明によれば、請求項１に記載のスプライスユニットにおいて、アダプタパネルの下部から前方に突設されてアダプタに接続された光ファイバを支持する支持板をアダプタパネルの下部に蝶着して前傾可能にしたことを特徴とする。
【発明の効果】
【０００７】
請求項１に記載の発明によれば、アダプタパネルを前傾させることでアダプタ４の背面側接続口が斜め上方に向き、アダプタパネルの最下段に設けられたアダプタの背面側接続口の前方スペースが広くなるため、特に下方に設けられたアダプタへの背面側からの光ファイバの着脱がしやすくなり、施工性が向上するという効果がある。
【０００８】
請求項２に記載の発明によれば、請求項１に記載の発明の効果に加えて、支持板を前傾させることでアダプタパネルの最下段に設けられたアダプタの前面側接続口の前方スペースが広くなるため、特に下方に設けられたアダプタへの前面側からの光ファイバの着脱がしやすくなり、施工性が向上するという効果がある。
【発明を実施するための最良の形態】
【０００９】
スプライスユニットは、光ファイバを接続するためのアダプタが複数設けられたアダプタパネルをケースの前面に蝶着して前傾可能にし、アダプタに前方から接続された光ファイバを支持するためにアダプタパネルの下端に前方に突設された支持板をアダプタパネルに蝶着して前傾可能にする。
【実施例１】
【００１０】
本発明に係るスプライスユニットの実施例１を図１〜図６の添付図面に基づいて説明する。
【００１１】
スプライスユニット１は、ケース２と、ケース２の前面に設けられて光ファイバ３を接続するためのアダプタ４を複数取着したアダプタパネル５と、アダプタパネル５の下端から前方に突設される支持板６とで構成している。
【００１２】
ケース２は底面部２ａと左右側面部２ｂとで前面、上面、背面を開放した略コ字状に形成して成り、左右側面部２ｂの前端縁には左右外側方向にラック（図示せず）に取り付けるための取付片２ｃが突設されている。また、ケース２の左右前端はアダプタパネル５を取り付けるためのＬ字状のケース側折曲部２ｄが形成されている。また、ケース２の上面には蓋板（図示せず）が取り付けられるようになっている。
【００１３】
アダプタパネル５はアダプタ４が上下左右に整列して配置され、アダプタ４は光ファイバ３の先端に設けられたコネクタ３ａを前後両側から差し込むことで光ファイバ同士を接続するようになっている。アダプタパネル５は左右両端にケース２のケース側折曲部２ｄに一致するＬ字状のパネル側折曲部５ａが形成され、パネル側折曲部５ａがケース側折曲部２ｄにヒンジ７によって蝶着されて前傾可能に設けられている。また、パネル側折曲部５ａの上端部にはラッチ８が設けられ、ケース側折曲部２ｄに形成されたラッチ孔２ｅに係脱可能にされている。
【００１４】
支持板６は底板部６ａと左右側板部６ｂとで略コ字状に形成され、左右側板部６ｂの下端部がアダプタパネル５のヒンジ７と共通してケース２のケース側折曲部２ｄに蝶着されて前傾可能に設けられている。左右側板部６ｂのヒンジ７の上方の端縁は外側方向に折曲部６ｃ折曲形成され、折曲部６ｃにはラッチ９が設けられてアダプタパネル５のパネル側折曲部５ａに形成されたラッチ孔５ｂに係脱可能にされている。また、左右側板部６ｂはアダプタ４に接続された光ファイバ３を左右外側に引き出すための略コ字状の切欠６ｄが設けられ、切欠６ｄには引き出した光ファイバ３を損傷させないための載置部６ｅが外側方向に折曲形成されている。
【００１５】
このように形成されたスプライスユニット１は、ケース２の取付片２ｃをラックのマウントアングルに前面から当接させた上、取付片２ｃの孔にネジを挿通させてマウントアングルに締め付け固定することでラックに搭載される。こうしてラックに搭載されたスプライスユニット１において、アダプタパネル５のアダプタ４に背面側から光ファイバ３を着脱するには、アダプタパネル５のラッチ８を手前側に引っ張ってケース２との係合を解除し、ヒンジ７を支点に回動させてアダプタパネル５を前傾させた状態で行う。尚、アダプタパネル５はパネル側折曲部５ａの下端がケース２のケース側折曲部２ｄに当接することで前傾姿勢に保持される。アダプタパネル５を前傾させることでアダプタ４の背面側接続口が斜め上方に向き、アダプタパネル５の最下段に設けられたアダプタ４の背面側接続口の前方スペースが広くなるため、特に下方に設けられたアダプタ４への光ファイバ３の着脱がしやすくなる。接続が完了した後は、アダプタパネル５が垂直となるように回動させ、パネル側折曲部５ａをケース側折曲部２ｄに押し当ててラッチ８を押し込むことによりラッチ８をラッチ孔２ｅに係合させて固定する。
【００１６】
また、アダプタパネル５のアダプタ４に前面側から光ファイバ３を着脱するには、アダプタパネル５はケース２に垂直に固定した状態で、支持板６のラッチ９を引っ張ってアダプタパネル５との係合を解除し、ヒンジ７を支点に回動させて支持板６を前傾させた状態にした状態で行う。尚、支持板６は折曲部６ｃの下端がアダプタパネル５のパネル側折曲部５ａに当接することで前傾姿勢に保持される。支持板６を前傾させることでアダプタパネル５の最下段に設けられたアダプタ４の前面側接続口の前方スペースが広くなるため、特に下方に設けられたアダプタ４への光ファイバ３の着脱がしやすくなる。作業が完了した後は、支持板６の前端を持ち上げて回動させ、折曲部６ｃをパネル側折曲部５ａに押し当ててラッチ９を押し込むことによりラッチ９をラッチ孔５ｂに係合させて固定する。
【００１７】
尚、アダプタパネル５及び支持板６を前傾するためのヒンジ７の位置及び構造、固定位置に固定するための構造について限定はなく適宜変更して実施することも可能である。
【図面の簡単な説明】
【００１８】
【図１】本発明に係るスプライスユニットを示す斜視図である。
【図２】スプライスユニットの側面図である。
【図３】アダプタパネルを前傾させた状態の背面側からの斜視図である。
【図４】アダプタパネルを前傾させた状態の側面図である。
【図５】支持板を前傾させた状態の前面側からの斜視図である。
【図６】支持板を前傾させた状態の側面図である。
【符号の説明】
【００１９】
１    スプライスユニット
２    ケース
２ａ    底面部
２ｂ    左右側面部
２ｃ    取付片
２ｄ    ケース側折曲部
２ｅ  ラッチ孔
３    光ファイバ
４    アダプタ
５    アダプタパネル
５ａ    パネル側折曲部
５ｂ    ラッチ孔
６    支持板
６ａ    底板部
６ｂ    左右側板部
６ｃ    折曲部
６ｄ    切欠
６ｅ    載置部
７    ヒンジ
８    ラッチ
９    ラッチ
【図１】
2009258244.tif 000003
【図２】
2009258244.tif 000004
【図３】
2009258244.tif 000005
【図４】
2009258244.tif 000006
【図５】
2009258244.tif 000007
【図６】
2009258244.tif 000008